【事件の表示】
　特願２００２−１０８９５７「タイムカプセルをその内部に入れることが出来る人形」拒絶査定不服審判事件〔平成１５年１０月２１日出願公開、特開２００３−２９９８８３〕について、次のとおり審決する。
【結　論】
　本件審判の請求は、成り立たない。
【理　由】
第１　手続の経緯
　本願は、平成１４年（２００２年）４月１１日に出願された特願２００２−１０８９５７号であって、原審において平成１８年１０月２０日付の拒絶理由を通知したところ、出願人より平成１８年１２月２６日付の意見書が提出され、その後、前記拒絶理由により平成１９年１月３１日付で拒絶査定したところ、拒絶査定不服審判の請求が平成１９年２月１９日になされるとともに、同日付の手続補正書が提出され、その後、当審において改めて平成２０年１月３０日付の拒絶理由を通知したところ、審判請求人より平成２０年３月１２日付けの意見書が提出されたものである。
　
第２　当審の判断
１　本願発明
　前記平成１９年２月１９日付の手続補正（以下、「本件補正」という。）は、本願の願書に最初に添付した明細書の特許請求の範囲に記載されていた請求項１ないし請求項５から、請求項２ないし請求項５の請求項を削除することを目的とする補正であるから、前記本件補正は、特許法第１７条の２第４項第１号に掲げる「請求項の削除」を目的とする補正に該当する。そして、前記本件補正は、願書に最初に添付した明細書の特許請求の範囲に記載した事項の範囲内においてした補正であるから、同法第１７条の２第３項に規定する、いわゆる「新規事項の追加禁止要件」に適合する補正である。
　そうすると、当審が審理すべき本願の請求項１に係る発明は、平成１９年２月１９日付の手続補正書に基づいて補正された明細書の特許請求の範囲の請求項１に記載された事項により特定される次のとおりのもの（以下、これを「
本願発明
　「【請求項１】胴体（９）の一方側に設けられた空洞部（１）と、当該空洞部（１）を開閉するために設けられたファスナー（２）と、首部と胴体の間（３）に設けられたＤ型形状の金具（４）と、当該Ｄ型形状の金具（４）と当該ファスナー（２）に設けられた環（５）とを掛ける錠（６）と、一方の手の平（８）とその上部に縫いつけられた生地（１０）との間に置かれた鍵（７）と、一方の手の平（８）の鍵（７）を置く下の生地（１５）と上部に縫いつけられた生地（１０）とが同一の生地であること、からなる人形と，
　当該空洞部（１）に収納するタイムカプセル（１１）との組み合わせからなることを特徴とするタイムカプセルをその内部に入れることが出来る人形。」
　
２　引用刊行物及び各引用刊行物の記載事項
　
引用刊行物１
　
引用刊行物２
　
引用刊行物３
　
（１）当審の拒絶理由に引用した本願の特許出願前に頒布された刊行物である上記引用刊行物１〔国際公開第２００１／０１２２８４号〕には、「CHILDREN'S TOY WITH SELECTIVELY ACCESSIBLE INTERNAL CAVITY WITH ASSOCIATED STORAGE DEVICE （保管装置と関連させた選択的接近可能な内部空洞を有する児童用玩具）」に関して、図面の記載とともに、次の事項が記載されている。
ア：「I. 
Background Of The Invention
　A. Field of the Invention 
　　　This invention relates to the art of children's toys and dolls and the art of time capsules and storage devices, and more particularly to a doll or children's toy containing a time capsule. This application claims priority to a U.S. Provisional Patent Application Serial No. 60/149,079, entitled CHILDREN'S TOY WITH SELECTIVELY ACCESSIBLE INTERNAL CAVITY WITH ASSOCIATED STORAGE DEVICE, filed on August 16,1999. 
　B. Description of the Related Art 
　　　Dolls and children's toys are well known in the art. Storage devices, such as safe deposit boxes, jewelry boxes, and safes, are also well known. However, until the current invention, it was not known to place a storage device within a cavity in a children's toy and have the storage device be repeatedly accessed by the user without damaging the toy. 
　　　One known type of doll containing a time capsule has a canister sewn into the doll and can only be removed by tearing and damaging the doll. 
　　　The present invention contemplates a new and improved collectible item or children's toy that contains a selectively accessible internal cavity with an associated storage device, which is simple in design, effective in use, and overcomes the foregoing difficulties and others while providing better and more advantageous overall results. 」（１頁４行〜１頁２３行）
上記アの記載部分の当審による仮訳文：
「Ｉ．
背景技術
　Ａ．発明の分野
　本発明は児童用玩具および人形の技術に関し、タイムカプセルおよび保管装置の技術に関し、さらに詳しくは、タイムカプセルを含む人形または児童用玩具に関する。本出願は１９９９年８月１６日出願の「保管装置を連結した選択的接近可能な内部空洞を有する児童用玩具」を発明の名称とする米国仮出願第６０／１４９，０７９号の優先権を主張する。
　Ｂ．従来の技術
　人形および児童用玩具は当業界においてよく知られている。保管装置、例えば一時保管箱、宝石箱、金庫などもよく知られている。しかしながら、本発明前には、保管装置を児童用玩具の内部空洞内に配置することも、人形を壊さずに使用者が保管装置を繰り返し利用することも知られていなかった。
　タイムカプセルを含む人形の既知の型の一つは、人形にキャニスターを縫い込み、人形を裂いたり、壊したりしなければ取り出せないようにしたものである。
　本発明は新規かつ改善された収集可能な単位体すなわち児童用玩具であって、選択的に接近可能な内部空洞とこれに関連した保管装置を含み、デザインがシンプルで、有効に使用でき、上述の困難等を克服し、より良い、より有利な総合的結果をもたらすものを目的とする。」
　
イ：「III. 
Summary Of The Invention
　　　In accordance with the present invention, a new and improved children's toy includes a selectively accessible internal cavity and a storage device. 
　　　In accordance with another aspect of the present invention, the toy also includes a door, preferably made of a soft material and attached to the body of the toy via Velcro(R). 
　　　In accordance with yet another aspect of the present invention, the toy includes a rigid container inside the body of the toy for use as a container or time capsule. 
　　　In accordance with still another aspect of the present invention, the opening, cavity, and door can be made of any material or any design chosen using sound engineering judgment. 
　　　In accordance with another aspect of the present invention, a porcelain doll includes a front, a back, arms, legs, a head, a body, a cavity, the cavity being located in the back of the doll, the cavity for receiving an associated time capsule, a connecting strip, a first flap, a second flap, and a third flap, the flaps for concealing the cavity, the first flap being selectively attachable to the connecting strip via hook and eye connectors, the second and third flaps having second and third connecting strips, the second and third flaps being selectively attachable to each other. 
　　　In accordance with yet another aspect of the present invention, the collectible item has an associated body and an associated head, the collectible item comprising a time capsule, the time capsule being located substantially within the collectible item. 
　　　In accordance with still another aspect of the present invention, the collectible item is chosen from a list comprising dolls, stuffed animals, and toys. 
　　　In accordance with another aspect of the current invention, the collectible item has receiving means for receiving the time capsule, the receiving means is an internal cavity and the item further comprises enclosing means for enclosing the time capsule with the cavity. 
　　　In accordance with still another aspect of the present invention, the collectile item has the receiving means located substantially within the associated body. 
　　　In accordance with another aspect of the invention, the enclosing means includes a flap and connecting means for connecting the flap to the associated body and the enclosing means is selectively adjustable. 
　　　In accordance with another aspect of the present invention, a method of encapsulating deposited materials for preservation includes the steps of providing a collectible item having a body, a head, and receiving means for receiving the materials, placing the materials within the receiving means, placing the receiving means within the collectible item, the receiving means being located within the body of the collectible item, and enclosing the receiving means within the collectible item. 」（２頁１行〜３頁９行）
上記イの記載部分の当審による仮訳文：
「III．
発明の開示
　本発明によれば、新規かつ改良された児童用玩具は選択的に接近可能な内部空洞と保管装置とを備える。
　本発明の別の態様によれば、この玩具はまたベルクロ（登録商標）を介して玩具本体に取付られた、好ましくは軟質材料製のドアを備える。
　本発明のさらに別の態様によれば、この玩具は玩具本体内部にタイムカプセルの容器として使用する剛性容器を備える。
　本発明のまた別の態様によれば、開口部、内部空洞、およびドアは理にかなっていれば任意の材料または任意のデザインで作製することができる。
　本発明のまた別の態様によれば、磁器製人形が前身部、後身部、腕部、脚部、頭部、本体、および内部空洞を備え、この内部空洞は人形の後身部に配置され、この内部空洞は関連するタイムカプセルを受容するためのものであり、さらに結合ストリップ、第１のフラップ、第２のフラップ、および第３のフラップを備え、これらのフラップは内部空洞を隠すためのものであり、第１のフラップはフック−アイ・コネクタを介して結合ストリップに取付可能であり、第２および第３のフラップは第２および第３の結合ストリップを有し、第２および第３のフラップは選択的に相互に取付可能である。
　本発明のさらに別の態様によれば、この収集可能な単位体は関連する本体と関連する頭部とを備え、この収集可能な単位体はタイムカプセルを備え、このタイムカプセルは実質的に上記収集可能な単位体内に配置されている。
　本発明のさらに別の態様によれば、この収集可能な単位体は人形、詰め物動物および玩具を含むリストから選ばれる。
　本発明のさらに別の態様によれば、この収集可能な単位体はタイムカプセルを受容する受容手段を有し、この受容手段は内部空洞であり、この単位体はさらにタイムカプセルを内部空洞に封入するための封入手段を備える。
　本発明のさらに別の態様によれば、この収集可能な単位体は実質的に関連する本体内に配置された受容手段を有する。
　本発明のさらに別の態様によれば、この封入手段はフラップと、このフラップを関連する本体に結合するための結合手段とを備え、この封入手段は選択的に調整可能である。
　本発明の別の態様によれば、保管のために預け入れた物をカプセル内に包む方法は、本体、頭部および物を受容するために受容手段とを有する収集可能単位体を用意する工程、物を受容手段内に配置する工程、受容手段を収集可能単位体内に配置して、受容手段が収集可能単位体内に配置されるようにする工程、および受容手段を収集可能単位体内に封入する工程を備える。」
　
ウ：「One advantage of the current invention is that a time capsule can be placed inside the toy. 
　　　Another advantage of the current invention is that the time capsule can be removed and replaced repeatedly without damaging the toy. 
　　　Still another advantage of the current invention is that the toy functions as both a toy and a time capsule. 」（３頁１０行〜３頁１５行）
上記ウの記載部分の当審による仮訳文：
「本発明の一つの利点はタイムカプセルを人形内部に配置できることである。
　本発明の別の利点は人形を壊すさないでタイムカプセルを取り出しおよび再配置できることである。
　本発明のさらに別の利点は人形が人形としてと同時にタイムカプセルとして機能することである。」
　
エ：「V.
 Description Of The Preferred Embodiment
　　　Referring now to the drawings, which are for purposes of illustrating several embodiments of the invention only, and not for purposes of limiting the same, FIGURE 1 shows a doll 10 with a storage means 24 in the open position. In this embodiment, the storage means 24 closes on the back side (shown, but not referenced)) of the doll 10. It is to be understood that the storage means 24 can be located any place on the doll 10, as long as chosen using sound engineering judgment. For example, the storage means 24 could be located in either of the arms or legs or head of the doll 10. Any place that is large enough to receive a capsule 12 can be used as the storage means 24. It is also to be understood that this invention is not limited to the use of the doll 10 or the time capsule 12. Any toy, collectible item, stuffed animal, etc. can be used with this invention to contain the time capsule 12, as long as chosen using sound engineering judgment. 
　　　In this embodiment, the storage means 24 is a rigid container, or cavity, located inside the body of the doll 10. The storage means 24, one embodiment of which is shown in FIGURE 3, is used for housing the capsule 12, or on the other hand, can be used as the time capsule 12 itself. The materials that are to be deposited within the capsule 12 could also be deposited within the storage means 24, without the use of the actual capsule 12. The cavity 24 can be made of any rigid, or semi-rigid material chosen using sound engineering judgment. The current invention is not limited, however, to a rigid or semi-rigid container. The time capsule 12 could simply be placed inside the body of the doll 10, without any type of housing. The cavity 24 could also be made of a soft, or non-rigid material. The invention encompasses any and all variations of the concept of placing a container 24 or time capsule 12 inside a toy. 
　　　FIGURE 1 also shows a first flap 14, a second flap 16, and a third flap 18. The flaps 14,16,18 are used for enclosing the capsule 12 within the storage means 24. In this embodiment, the first flap 14, when in the open position, as shown in FIGURE 1, extends outwardly and downwardly from the storage means 24. In order to enclose the capsule 12 within the storage means 24, the first flap 14 is folded in an upward direction toward the head of the doll 10. Once the first flap 14 is secured over the opening of the storage means 24, the second and third flaps 16,18, are folded inwardly to cover the first flap 14. In this embodiment the flaps 14,16,18 are secured to the storage means 24 via Velcro(R) strips, but any means of connecting the flaps 14,16,18 to the storage means 24, or each other, can be used, as long as chosen using sound engineering judgment. 
　　　The flaps 14,16,18 can be opened and closed to cover or uncover the storage means 24 whenever necessary. This allows the capsule 12 to be selectively accessible. 
　　　FIGURE 2 shows another embodiment of the doll 10'. FIGURE 2 shows a stuffed animal 10'with a storage means 24', connecting strip 22, and third flap 14'. As in the first embodiment shown in FIGURE 1, the stuffed animal 10'has the storage means 24'located internally. The first flap 14'is selectively detachable from the connecting strip 22, using hook-and-eye connectors. This allows the capsule 12 to be selectively accessed by the user of the stuffed animal 10'. However, it is to be understood that the description of the first flap 14'in FIGURE 2 is only one embodiment of the invention, and any means of selectively accessing and closing the storage means 24'can be used as long as chosen using sound engineering judgment. Also, the means for connecting the first flap 14'to the connecting strip 22 does not have to be the hook-and-eye connection, but can be accomplished using any means chosen using sound engineering judgment. 
　　　In another embodiment, the storage means 24 could be selectively accessible via a door (not shown), which is selectively movable on a vertical axis. In this embodiment, the door is made of cardboard or poster board and covered with material. The door attaches to the body of the toy 10 via Velcro(R) or other hook-and-loop fasteners. However, it is to be understood that the type of door, the material used for the door, and the means for attaching the door to the body of the toy 10 are not limitations of this invention and this invention contemplates any and all possible varieties of such. For example, the door could be made completely of a soft material, or it could be made of wood or metal. The door could also have its hinge on any of the four sides of the door. It is also contemplated within this invention that the door could be rolled back from the opening, or folded back from the opening. 
　　　The means of connecting the door to the toy could include buttons, hooks, snaps, zippers, ribbons, string, pins, straps, etc. Again, the invention is not limited to the particular means by which the door is attached to the opening. 
　　　With reference now to FIGURES 1-4, the invention contemplates a doll 10 with a rigid cavity 24 in the back area. The doll 10 can be any doll 10 made according to the known art of doll making. The rigid cavity 24 is large enough to house the capsule 12 that is approximately 6X 2 1/2. The time capsule 12 is preferably a cylindrical canister with a screw-on lid. However, it is to be understood that the capsule 12 could be any means for containing materials using sound engineering judgment. The cavity 24 is fixedly attached to the body of the doll 10, and the top of the cavity 24 is flush with the back of the doll. 
　　　The cavity 24 can be used to store valuables, or anything else that a person wishes to place in the cavity 24 directly, or the user can place the valuables into a separate container 12 that is selectively accessible as well, and place the container 12 into the cavity 24. Once the valuables have been placed into the container 12 and the container 12 has been placed into the cavity 24, the door, or flaps 14,16,18 may then be shut and attached to the body of the doll 10. When the user desires to retrieve the valuables, or whatever else was placed into the container 12 or cavity 24, the user simply detaches the door, or flaps 14,16,18 from the body of the doll 10 and removes the desired articles. 」（４頁１行〜６頁２０行）
上記エの記載部分の当審による仮訳文：
「Ｖ．
発明を実施するための好適な態様
　さて、本発明のいくつかの態様を説明するためのものにすぎず、本発明を限定するためのものではない添付図面を参照すると、図１は保管手段２４を開放位置に有する人形１０を示す。この実施態様では、保管手段２４は人形１０の背側（図示、ただし符号は省略）が閉じている。保管手段２４は、理にかなっていさえすれば、人形１０の任意の場所に配置することができることを理解すべきである。例えば、保管手段２４を人形１０の腕部、脚部または頭部のいずれかに配置することができる。カプセル１２を受容するのに十分な大きさを持つ任意の場所を保管手段２４として使用できる。本発明は人形１０またはタイムカプセル１２の使用に限定されないことも理解すべきである。本発明では、理にかなっていさえすれば、任意の人形、収集可能な単位体、詰め物動物等を、タイムカプセル１２を収容するのに用いることができる。
　この実施態様では、保管手段２４は剛性容器または内部空洞であり、人形１０の本体内部に配置される。図３に一実施態様を示す保管手段２４はカプセル１２を収容するのに使用されるか、またはタイムカプセル１２自体として使用することができる。カプセル１２内に預け入れる物は実際のカプセル１２を使用せずに保管手段２４内に預け入れることも可能であろう。この内部空洞２４は理にかなっていれば任意の剛性または半剛性材料を用いて作製することができる。しかしながら、本発明は剛性または半剛性の容器に限定されない。タイムカプセル１２を人形１０の本体内部に、いかなるタイプのハウジングを用いることなく、単に配置することも可能であろう。内部空洞２４は軟質または非剛性材料で作製することも可能であろう。本発明は人形の内部に容器２４またはタイプの１２を配置する着想の任意の変形例をすべて包含する。
　図１はまた第１のフラップ１４、第２のフラップ１６、および第３のフラップ１８を示す。フラップ１４、１６、１８はカプセル１２を保管手段２４内に封入するために使用される。この実施態様では、第１のフラップ１４は開放位置にあるときは、図１に示すように、保管手段２４の外方および下方に延びている。保管手段２４内にカプセル１２を封入するためには、第１のフラップ１４を上方に人形１０の頭部に向けて折り返す。第１のフラップ１４が保管手段２４の開口部上に固定されると、第２および第３のフラップ１６、１８が内方に折り返されて第１のフラップ１４を覆う。この実施態様では、フラップ１４、１６、１８はベルクロ（登録商標）製ストリップを介して保管手段２４に固定されているが、理にかなっていさえすれば、任意の手段を用いてフラップ１４、１６、１８を保管手段２４にまたは相互に結合することができる。
　必要な時はいつでもフラップ１４、１６、１８を開閉して保管手段２４を被覆したり露出したりすることができる。これによりカプセル１２に選択的に接近することができる。
　図２は別の態様による人形１０'を示す。図２は保管手段２４、結合ストリップ２２および第３のフラップ１４'を有する詰め物動物１０'を示す。図１に示す第１の態様と同様に、詰め物動物１０'は内部に配置した保管手段２４'を有する。第１のフラップ１４'はフック−アイ・コネクタを用いて結合ストリップ２２から選択的に取り外し可能である。これによりカプセル１２は詰め物動物の使用者により選択的に接近可能である。しかしながら、図２の第１のフラップ１４'の説明は本発明の一実施態様に過ぎず、理にかなっていさえすれば、保管手段２４'に選択的に接近しこれを閉じる任意の手段を用いることができることを理解すべきである。また、第１のフラップ１４'を結合ストリップ２２に結合するための手段は必ずしもフック−アイ・コネクタでなければならない訳ではなく、理にかなっていれば任意の手段を用いてこの結合を達成することができる。
　別の実施態様では、保管手段２４はドア（図示省略）を介して選択的に接近することができ、このドアは縦軸上を選択的に移動可能である。この実施態様では、ドアは厚紙またはポスターボード製で材料で被覆されている。このドアはベルクロ（登録商標）または他のフック−ループ・ファスナーを介して人形１０の本体に取付られている。しかしながら、ドアのタイプ、ドアに用いる材料、およびドアを人形１０の本体に取付る手段は本発明に対する限定事項ではなく、本発明はそれらの任意の可能な異なった形態をすべて包含することを企図していることを理解すべきである。例えば、ドアを完全に軟質材料で作製することも可能であろうし、あるいは木製または金属製とすることも可能であろう。ドアはまたドアの４つの側面の任意の側面にヒンジを有することも可能であろう。本発明ではドアを開口部から巻き戻すか、開口部から折り返すようにすることも可能であろう。
　ドアを人形に結合する手段はボタン、フック、スナップ、ジッパー、リボン、ストリング、ピン、ストラップ等を挙げることができる。この場合も、本発明はドアを開口部に取付る特定の手段に限定されない。
　さて、図１〜図４を参照すると、本発明は背面領域に剛性の内部空洞２４を持つ人形１０を企図するものである。人形１０は公知の人形作製技術に従って作製される任意の人形１０であることができる。剛性内部空洞２４はカプセル１２を収容するのに十分な大きさ、すなわちほぼ６インチ×２　１／２インチの大きさである。タイムカプセル１２は、好ましくは円筒状キャニスタであり、ねじ止めする蓋を持つ。しかしながら、カプセル１２は理にかなっていれば任意の材料収容手段であってもよい。内部空洞２４は人形１０の本体に固定して取付られ、内部空洞２４の頂部は人形の背面と同一面を成している。
　内部空洞２４は貴重品または内部空洞２４内に直接置くことを望む任意の他の物を保管するのに使用することができる。あるいは、使用者は貴重品を選択的に接近し得る別個の容器１２内に入れ、この容器１２を内部空洞２４内に置くこともできる。貴重品を容器１２内にいれると、容器１２は内部空洞２４内に置かれ、ドアまたはフラップ１４、１６、１８を閉じ、人形１０の本体に取付ることができる。使用者が貴重品、または他のいずれのものを容器１２または内部空洞２４内に置いた場合も、これを取り出すことを望むときは、使用者は単にドア、またはフラップ１４、１６、１８を人形１０の本体から取り外し、所望の物品を取り出せばよい。」
　
　そうすると、引用刊行物１の上記摘記事項及び図面の図示からみて、引用刊行物１には、次の発明（以下、これを「
引用発明１
「人形１０又は詰め物動物１０’の胴体の背中側に内部空洞２４を設けるとともに、前記内部空洞２４の開口部を開閉するジッパーを備え、前記内部空洞２４にタイムカプセル１２を収納できるようした、胴体内部にタイムカプセルを収納できる人形１０又は詰め物動物１０’」
　
（２）当審の拒絶理由に引用した本願の特許出願前に頒布された刊行物である上記引用刊行物２〔実願平４−６２６４６号（実開平６−２７５１６号）のＣＤ−ＲＯＭ〕には、「タイムカプセル」に関して、図面の記載とともに、次の事項が記載されている。
「【０００１】【産業上の利用分野】　この考案は、いわゆるタイムカプセルに関し、特に親が子供の成人や結婚等、人生の節目に際して、その子供に出生時の様子を知らせるために、写真や手形、足形、身内の者の手紙等の記念品を収納して保管するために使用されるものに関する。」
「【０００５】【課題を解決するための手段】　上記の課題を解決するために、この考案は、中空の筒体の容器と蓋とから成り、上記容器と蓋とを施錠して一体化する施錠装置を設け、容器又は蓋のいずれか一方に外部から破壊可能な鍵収納室を設け、この鍵収納室に上記施錠装置の施錠を解除する鍵を収納する構成を採用したのである。
　【０００６】【作用】　容器の中に記念品を入れ、蓋を被せて施錠することによって、内容物の機密性を保持できる。
　【０００７】　そして、内部の記念品を取り出す際は、鍵収納室を破壊して鍵を取り出す。この鍵を用いて、容器と蓋との施錠を解除すると、容器内の記念品を取り出すことができる。」
「【０００８】【実施例】　図１に示すように、このタイムカプセル１は、容器２と蓋３とから成る。
　【０００９】　上記容器２は、ブリキ板等を素材とし、缶胴４と缶底５とから成る上面開口の丸缶である。上記缶胴４の上部開口付近に、錠取付け部６が突設されている。
　【００１０】　図１及び図２に示すように、上記容器２の缶底５近くの位置に中底７が溶接されて、中底７から上が物品収納室８、中底７から下が鍵収納室９に仕切られている。この鍵収納室９には、鍵１１が予め収納されている。
　【００１１】　前記鍵収納室９の一部を構成する缶底５は、外部から缶切り等で破壊できるようにしておく。
　【００１２】　図２に示すように、上記蓋３には、段部１２をへて当接周面１３が形成されている。この当接周面１３は、上記容器２の上部内周面に当接し、蓋３を容器２の真上に引き上げる場合にのみ、開封することができるようになっている。
　【００１３】　図１及び図２に示すように、上記蓋３の段部１２寄りの周面にも錠取付け部６が突設されている。
　【００１４】　即ち、第一の実施例においては、容器２及び蓋３に設けられた錠取付け部６と南京錠１４とにより、施錠装置が構成される。
　【００１５】　次に、このタイムカプセル１の使用方法について説明する。
　【００１６】　上記容器２の物品収納室８内に記念品を収納し、蓋３を被せて、容器２と蓋３に設けられた錠取付け部６に南京錠１４を取付けて施錠する。このようにして、家庭用金庫に入れる等して保管する。
　【００１７】　成人の日や結婚等、人生の節目を迎えた子供に、このタイムカプセルを渡す。子供が内部の記念品を取り出す際は、缶底５を缶切り等で開けて、鍵収納室９内に保管された鍵１１を取り出し、この鍵１１により上記南京錠１４を取り外して蓋３を開け、物品収納室８内の記念品を取り出す。」
「【要約】
　【目的】　出生時の写真等の記念品を、破損したり散逸したり、人目に触れることなく保管することができるタイムカプセルを提供することである。
　【構成】　タイムカプセル１は、円筒形の容器２と蓋３とから成り、上記容器２の缶胴４の上部と、上記蓋３の段部１２近くに錠取付け部６が突設されている。上記容器２は、中底７によって上側が物品収納室８に、下側が鍵収納室９に仕切られ、上記鍵収納室９内に鍵１１が収納されている。容器２の缶底５は缶切り等で開封することができる。上記物品収納室８内に記念品を収納し、上記錠取付け部７に南京錠１４を取付け施錠する。容器２内の品々が破損したり散逸したり、人目に触れることなく保管され、鍵１１も容器２内に保管される。缶切り等で缶底５を開封して、容器２内の記念品を取り出すことができる。」
　
（３）当審の拒絶理由に引用した本願の特許出願前に頒布された刊行物である上記引用刊行物３〔実願昭５８−８２４２８号（実開昭５９−１８８２７１号）のマイクロフイルム〕には、「錠前掛用補助具」に関して、図面の記載とともに、次の事項が記載されている。
「本考案は主としてランドセル、学生鞄、袋物等の蓋の施錠、フアスナーの引手の施錠など用いる新規の錠前掛用補助具に関するものであって、」（明細書１頁１１〜２頁１行）
「尚、第１図乃至第４図に示す第１実施例は・・・（中略）・・・鞄（８）に取付けたフアスナー（９）の引手（１０）の施錠に用いたものであり、」（明細書２頁７行〜３頁５行）
　そして、添付された図面の第３図及び第４図には、「鞄（８）の開口部を閉じるためのフアスナー（９）が鞄（８）の開口部に沿って取付けられ、前記フアスナー（９）の引手（１０）に丸環を介して中央に通孔（４）が開口する掛具（ロ）が取付けられて、さらに前記フアスナー（９）の閉止終端部近傍の鞄（８）側に固着された受具（イ）の中央に立設する柱（５）が、前記掛具（ロ）の中央に開口する通孔（４）に挿通されて、前記柱（５）に穿孔された掛け孔（６）に、錠前（ハ）が施錠されるように構成された鞄（８）に取付けたフアスナー（９）の引手（１０）の施錠における錠前掛用補助具」が図示されている。
　
３　対比・判断
（１）対比
　本願発明と引用発明１とを対比すると、引用発明１の「人形１０又は詰め物動物１０’の胴体の背中側」、「内部空洞２４」、「前記内部空洞２４の開口部を開閉するジッパー」、「タイムカプセル１２」及び「胴体内部にタイムカプセルを収納できる人形１０又は詰め物動物１０’」のそれぞれは、本願発明の「胴体（９）の一方側」、「空洞部（１）」、「当該空洞部（１）を開閉するために設けられたファスナー（２）」、「当該空洞部（１）に収納するタイムカプセル（１１）」及び「タイムカプセルをその内部に入れることが出来る人形」のそれぞれに相当する。
　
　そうすると、本願発明と引用発明１との両者は、
　「胴体（９）の一方側に設けられた空洞部（１）と、当該空洞部（１）を開閉するために設けられたファスナー（２）と、からなる人形と，当該空洞部（１）に収納するタイムカプセル（１１）との組み合わせからなるタイムカプセルをその内部に入れることが出来る人形」
である点で構成が一致し、次の相違点１及び相違点２の点で両者の構成が相違する。
　
相違点１
　
相違点２
　
（２）相違点についての検討
ア　相違点１について
　本願発明の上記相違点１のうちの「Ｄ型形状の金具（４）と、当該Ｄ型形状の金具（４）と当該ファスナー（２）に設けられた環（５）とを掛ける錠（６）」について検討すると、開口部に止着されるファスナーを錠体で錠止する際に錠体とファスナーとをＤ環あるいは丸環等の連結金具を介して連結して錠止する技術自体は、本願特許出願時の周知技術（例えば一例として挙げる上記引用刊行物３〔実願昭５８−８２４２８号（実開昭５９−１８８２７１号）のマイクロフイルム〕の記載を参照。）である。
　そして、本願発明の「人形」に相当する引用発明１の「人形１０又は詰め物動物１０’」に対して、前記の開口部に止着されるファスナーを錠体で錠止する際に錠体とファスナーとをＤ環あるいは丸環等の連結金具を介して連結して錠止する周知技術を適用する場合に、引用発明１の「人形１０又は詰め物動物１０’」の開口部の終端近傍に錠体とファスナーとをＤ環あるいは丸環等の連結金具の一方を止着することとなることは、技術上の観点からみて必然であるから、引用発明１に前記周知技術を適用する際に、連結金具のＤ環を人形１０又は詰め物動物１０’に設けられた開口部の終端近傍である首部と胴体の間に設けるようにすることは、当業者が適宜なし得る設計事項にすぎない。
　そうすると、引用発明１に上記周知技術を適用することにより、本願発明の相違点１に係る前記「首部と胴体の間（３）に設けられたＤ型形状の金具（４）と、当該Ｄ型形状の金具（４）と当該ファスナー（２）に設けられた環（５）とを掛ける錠（６）」の構成を備えるようにすることは、当業者が格別の困難を伴うことなく、容易に想到し得たことである。
　
イ　相違点２について
  上記引用刊行物２〔実願平４−６２６４６号（実開平６−２７５１６号公報）のＣＤ−ＲＯＭ〕に、「ブリキ板等を素材とするタイムカプセル１の円筒形容器２と蓋３の間に南京錠１４を取付け、前記タイムカプセル１の円筒形容器２は、該容器２の下部に設けた中底７によって、記念品等を収納する上側の物品収納室８と下側の鍵収納室９とに仕切られ、前記下側の鍵収納室９内に前記南京錠１４を解錠する鍵１１を収納しておき、タイムカプセル１の物品収納室８から記念品等を取り出すときには、タイムカプセル１の円筒形容器２の缶底５を開封して鍵１１を取り出して南京錠１４解錠するようにした、タイムカプセルを解錠する鍵の収納場所に工夫をこらしたタイムカプセル」の発明が記載されている。
　しかして、本願発明の「人形」に相当する引用発明１の「人形１０又は詰め物動物１０’」に対し、上記引用刊行物２に記載の発明を適用する場合に、「人形１０又は詰め物動物１０’」のジッパーに取り付けられた錠体を解錠する鍵の収納場所として、引用発明１の「人形１０又は詰め物動物１０’」の身体のいずれかの部分に鍵を収納することとなることは当然のことであるところ、引用発明１の「人形１０又は詰め物動物１０’」の身体の中で、金属等からなる硬くて平たい鍵を収納するにふさわしい場所は自ずと限られているのであり、「人形１０又は詰め物動物１０’」の中で比較的平坦な場所である掌（手の平）または足の裏等が、鍵を収納するにふさわしい場所であると考えることは、「人形１０又は詰め物動物１０’」を取り扱う上での技術的観点からみてそれほど困難なことではない。
　しかして、引用刊行物２に記載の発明におけるタイムカプセル１は、ブリキ板等を素材としており、したがって、タイムカプセル１の円筒形容器２の中底７と缶底５もブリキ板等の素材からなることから、引用刊行物２に記載の発明におけるタイムカプセル１を構成する前記ブリキ板等の素材からなる「中底７」と「缶底５」とは、同一の素材から構成されているから、前記「中底７」と「缶底５」とは、本願発明の「上部に縫いつけられた生地（１０）」と「鍵（７）を置く下の生地（１５）」とに対応するといえる。
　そうすると、本願発明の相違点２に係る「一方の手の平（８）とその上部に縫いつけられた生地（１０）との間に置かれた鍵（７）と、一方の手の平（８）の鍵（７）を置く下の生地（１５）と上部に縫いつけられた生地（１０）とが同一の生地であること」の構成を得ることは、引用発明１に上記引用刊行物２記載の発明を組み合わせることにより、当業者が容易に想到できることである。
　
　そして、本願発明の奏する作用効果は、上記引用発明１及び引用刊行物２に記載の発明、並びに、引用刊行物３に記載の周知技術から予測できる作用効果の範囲内のものであって、格別のものということができない。
　
（３）まとめ
　したがって、本願の請求項１に係る発明（本願発明）は、上記引用発明１及び引用刊行物２に記載の発明、並びに、引用刊行物３に記載の周知技術に基いて当業者が容易に発明をすることができたものであるから、特許法第２９条第２項の規定により、特許を受けることができない。
　
（４）審判請求人の意見書における主張について
ア　審判請求人は、当審の拒絶理由通知に対し、平成２０年３月１２日付の意見書を提出して、その意見書の中で、次の主旨の主張をしている。すなわち、
　Ａ：「本願発明は、人形をこわすことがないので、鍵を取り出して錠をあけてもそのまま人形として使用することが出来るものである。即ち、タイムカプセルそのものの機能と、タイムカプセルを取り出しても人形をこわすことがない（たとえ人形の一部であってもこわすことがない。）のでそのまま人形として使用することが出来るという機能と、２つの機能、価値を持つものである。そのために、人形をこわしてしまう、というようなことをすることなく、錠をあけることが出来るように一方の手の平（８）とその上部に縫いつけられた生地（１０）との間に鍵（７）を置いたものである。又、一方の手の平（８）の鍵（７）を置く下の生地（１５）と上部に縫いつけられた生地（１０）とが同一の生地であることにより鍵（７）を置いてあることが分からないようにすることが出来、かつ上部に縫いつけられた生地（１０）を剥がして鍵を取り出しても下の生地（１５）が同じ生地なので人形（ぬいぐるみ）の容姿をかえることなく、かつ損傷させた痕跡が残らないようにすることが出来るようにしたのである。」
　Ｂ：「タイムカプセルは、取り出す場合ほとんどがその入っている物を破壊、又は引例２のように一部破壊するのが通例であり、そのため損傷させた痕跡が残るものであるが、本願発明はたとえ一部であっても損傷させた痕跡が残らないようにすることが出来るのでそのまま人形として使用することが出来るのである。」
　Ｃ：「本願発明は、このようにタイムカプセルの機能・価値を持つと同時にタイムカプセルを取り出しても人形そのもの、かつ人形の一部分であっても損傷させることなく人形として使用出来るという機能・価値をもつものである。」
　
イ　審判請求人の上記Ａ〜Ｃの主張によれば、審判請求人は、一方で、
　ａ：「本願発明は、人形をこわすことがない」、
　ｂ：「タイムカプセルを取り出しても人形をこわすことがない（たとえ人形の一部であってもこわすことがない。）」、
　ｃ：「人形をこわしてしまう、というようなことをすることなく、錠をあけることが出来る」、
　ｄ：「人形（ぬいぐるみ）の容姿をかえることなく、かつ損傷させた痕跡が残らないようにすることが出来るようにした」、
　ｅ：「本願発明はたとえ一部であっても損傷させた痕跡が残らないようにすることが出来る」、
　ｆ：「タイムカプセルを取り出しても人形そのもの、かつ人形の一部分であっても損傷させることなく」
と主張しながら、他方では、
　ｇ：「上部に縫いつけられた生地（１０）を剥がして鍵を取り出し」と主張している。
　
ウ　そうすると、審判請求人の上記Ａ〜Ｃの主張によれば、本願発明においては、人形の一方の手の平（８）とその上部に縫いつけられた生地（１０）との間に置いた鍵（７）を取り出し、その鍵（７）で人形の鎖錠を解錠した上で人形の中からタイムカプセルを取り出す場合には、やはり審判請求人も上記ｇの「上部に縫いつけられた生地（１０）を剥がして鍵を取り出し」と主張するように、人形の一方の手の平（８）の上部に縫いつけられた生地（１０）を剥がして鍵（７）を取り出すこととなることは明らかである。
　換言すれば、本願発明では、人形の中からタイムカプセルを取り出すためには、人形の一方の手の平（８）の上部に縫いつけられた生地（１０）を剥がすことにより、はじめて、錠を解錠するための鍵（７）を手中にすることができるのであり、前記縫いつけられた生地（１０）を剥がさないで鍵（７）を手中にすることはできないことが明らかである。
　つまり、本願発明は、人形の一方の手の平（８）の上部に縫いつけられた生地（１０）を剥がすことにより人形を損傷させて、人形の一方の手の平（８）に痕跡が残るようにしないと、解錠できないということになる。
　このことは、前記審判請求人のａ〜ｆの主張と、ｇの主張とが、互いに相容れない主張であることを意味しているのであり、審判請求人の前記主張が、「自家撞着」の主張であることが明らかである。
　したがって、審判請求人の「引例２は鍵を収納しておく鍵収納室９から鍵１１を取り出す場合、缶底５は外部から缶切り等で破壊できるようにしておくことが必要であり、本願のように損傷させた痕跡が残らないようにすることは出来ないものである。」の主張は、審判請求人の上記ｇの主張に反する主張であるから、採用することができない。
　
エ　さらに審判請求人は、次のように主張する。すなわち、
　Ｄ：「引例１〜３には本願の前記の２つの機能・価値をもった技術は全く示されていません。」
　Ｅ：「引例２は鍵を収納しておく鍵収納室９から鍵１１を取り出す場合、缶底５は外部から缶切り等で破壊できるようにしておくことが必要であり、本願のように損傷させた痕跡が残らないようにすることは出来ないものである。」
　Ｆ：「このように引例からは本願発明のようにたとえ一部であっても損傷させた痕跡が残らないようにするという技術は全く示されておりません。」
　Ｇ：「本願発明は、このようにタイムカプセルの機能・価値を持つと同時にタイムカプセルを取り出しても人形そのもの、かつ人形の一部分であっても損傷させることなく人形として使用出来るという機能・価値をもつものである。このような２つの機能・価値をもつ技術は引例には全く示されておりません。」
　
オ　しかしながら、平成２０年３月１２日付の意見書の中における審判請求人の上記Ｄ〜Ｇの主張は、本願発明を引用刊行物１に記載された発明と個別に比較して、「本願発明は進歩性がある」と主張し、また本願発明を引用刊行物２に記載された発明と個別に比較して、「本願発明は進歩性がある」と主張し、そして本願発明を引用刊行物３に記載された発明と個別に比較して、「本願発明は進歩性がある」と主張しているにすぎないものであるから、本願発明を引用刊行物１ないし引用刊行物３にそれぞれ記載された「各発明と個々に比較」することにより、「本願発明は、引用刊行物１ないし引用刊行物３のいずれの刊行物にも記載されていない発明であるから、新規性がある」と主張しているにとどまるのであり、前記Ｄ〜Ｇの主張が、「本願発明は進歩性がある」旨を主張しているものとはいえない。
　一方、当審の拒絶理由では、本願発明の進歩性の有無について、「本願の請求項１に係る発明（本願発明）は、上記引用発明１及び引用刊行物２に記載の発明、並びに、引用刊行物３に記載の周知技術に基いて当業者が容易に発明をすることができたものである」と判断し、「本願発明は、特許法第２９条第２項の規定により、特許を受けることができない」と結論づけているのであるから、前記審判請求人の「本願発明は、引用刊行物１ないし引用刊行物３のいずれの刊行物にも記載されていない発明であるから、新規性がある」旨の主張は、採用することができない。
　
第３　むすび
　以上のとおりであり、本願発明は、特許法第２９条第２項の規定により、特許を受けることができない。
　したがって、本願は、当審が通知した拒絶理由によって拒絶すべきものである。
　
　よって、結論のとおり審決する。